(57)【特許請求の範囲】
【請求項１】
柄構成糸を導糸するガイドが互いに１針ずれた１針おきの交互配列をなすように分割構成されて並設された２枚の分割ジャカード筬と、
少なくとも１枚の地筬とにより編成されてなるレース編地であって、
前記分割ジャカード筬の交互配列のガイドによりそれぞれ柄構成糸が導糸され、前記柄構成糸の組織はそれぞれ２ウエールに渡り互いに逆方向に移行される挿入組織を基本として、
ジャカード制御により該基本組織を変化せしめられたネット部が設けられ、
前記基本組織をチェーン番号で表すと、前記２枚の分割ジャカード筬の一方の基本組織が００／４４／、他方の基本組織が６６／２２／であることを特徴とするレース編地。
【請求項２】
柄構成糸を導糸するガイドが互いに１針ずれた１針おきの交互配列をなすように分割構成されて並設された２枚の分割ジャカード筬と、
少なくとも１枚の地筬とを備える経編機により編成するレース編地の製造方法であって、
前記地筬により地編の組織を編成し、
更に前記分割ジャカード筬の交互配列のガイドによりそれぞれ柄構成糸を導糸し、前記柄構成糸の組織はそれぞれ２ウエールに渡り互いに逆方向に移行する挿入組織  を基本として、
ジャカード制御により該基本組織を変化させたネット部を設け、
前記基本組織をチェーン番号で表すと、前記２枚の分割ジャカード筬の一方の基本組織が００／４４／、他方の基本組織が６６／２２／であることを特徴とするレース編地の製造方法。
【発明の詳細な説明】
【技術分野】
【０００１】
本発明はレース編地に関する。
【背景技術】
【０００２】
ジャカード筬を備える経編機により編成されたレース編地が知られている。このレース編地は、ジャカード筬に導糸される柄構成糸がジャカード変化することにより形成されるネット部を有している。経編機が２枚の分割ジャカード筬を有している場合であっても、ジャカード筬の基本組織は、２枚とも同じ組織である（特許文献１を参照）。
【先行技術文献】
【特許文献】
【０００３】
【特許文献１】特開２００２−４１５８号公報
【発明の概要】
【発明が解決しようとする課題】
【０００４】
ジャカード変化によるネット部の形状は、実用性を考えるとある程度見慣れた物が多くなっている。ネット部の目寄れが出難いようにしたり、ネット部の破裂強度をある程度高めにしようとしたりすると、どうしても選べるネット部の形状が限られてきてしまう。
【０００５】
そこで本発明は、ジャカード変化によるネット部を、実用性を維持しつつ、新規な意匠を有する形状としたレース編地及びその製造方法を提供することを課題とする。
【課題を解決するための手段】
【０００６】
上記の課題を解決する本発明は、柄構成糸を導糸するガイドが互いに１針ずれた１針おきの交互配列をなすように分割構成されて並設された２枚の分割ジャカード筬と、少なくとも１枚の地筬とにより編成されてなるレース編地であって、前記分割ジャカード筬の交互配列のガイドによりそれぞれ柄構成糸が導糸され、前記柄構成糸の組織はそれぞれ２ウェールに渡り互いに逆方向に移行される挿入組織を基本として、ジャカード制御により該基本組織を変化せしめられたネット部が設けられ、前記基本組織をチェーン番号で表すと、前記２枚の分割ジャカード筬の一方の基本組織が００／４４／、他方の基本組織が６６／２２／であることを特徴とする。
【０００７】
また、本発明の第２は、前記のレース編地の製造方法であり、柄構成糸を導糸するガイドが互いに１針ずれた１針おきの交互配列をなすように分割構成されて並設された２枚の分割ジャカード筬と、少なくとも１枚の地筬とを備える経編機により編成するレース編地の製造方法であって、前記地筬により地編の組織を編成し、更に前記分割ジャカード筬の交互配列のガイドによりそれぞれ柄構成糸を導糸し、前記柄構成糸の組織はそれぞれ２ウェールに渡り互いに逆方向に移行する挿入組織を基本として、ジャカード制御により該基本組織を変化させたネット部を設け、前記基本組織をチェーン番号で表すと、前記２枚の分割ジャカード筬の一方の基本組織が００／４４／、他方の基本組織が６６／２２／であることを特徴とする。
【発明の効果】
【０００８】
本発明のレース編地によれば、ジャカードの基本組織を従来にないものとすることで、該基本組織を変化せしめたネット部が、これまでにない新規な意匠を有する形状とすることができ、シャープなイメージが形成できる。また、本発明の製造方法によれば、前記のような新規な意匠のネット部を有するレース編地を得ることができる。
【図面の簡単な説明】
【０００９】
【図１】本発明のレース編地の基本組織図。
【図２】同上の変位組織図。
【図３】同上の変位組織図。
【図４】同上のネット部を示す平面図。
【図５】従来のレース編地の基本組織図。
【図６】同上の変位組織図。
【図７】同上の変位組織図。
【図８】同上のネット部を示す平面図。
【発明を実施するための形態】
【００１０】
次に本発明の実施の形態を図面に示す実施例に基いて説明する。本発明に係るレース編地は、１針おきの交互配列、すなわち１針ずらせた１イン１アウトの配列をなすように分割構成され、かつ前後に隣接して並設された独立制御可能な２枚の分割ジャカード筬（Ｌ２−１）（Ｌ２−２）と、少なくとも１枚の地筬とにより編成される。前記の２枚の分割ジャカード筬（Ｌ２−１）（Ｌ２−２）は、筬の基本組織運動とは別に、それぞれ１針おきに配列された各ガイドがさらに編針ピッチの１針分緯方向に変位できるように設けられており、各々がジャカード装置の変位プログラムに従って制御されて、所望のレース調の柄の編成が行なわれるようになっている。
【００１１】
すなわち、図１に示すとおり、地筬Ｌ１に導糸される地編糸１にて鎖編組織を編成し、更に前記２枚の分割ジャカード筬（Ｌ２−１）（Ｌ２−２）により、それぞれ柄構成糸２，３を導糸してジャカードの基本組織が編成される。
【００１２】
具体的には、柄構成糸２，３は、それぞれ２ウエールに渡り互いに逆方向に移行される組織である。チェーン番号で表すと次のようになる。
柄構成糸２（筬Ｌ２−１）：００／４４／
柄構成糸３（筬Ｌ２−２）：６６／２２／
【００１３】
ジャカード筬の基本組織から緯方向に変位することで、基本組織から変化した任意のネット部を設けることができる。代表的な組織として本発明の穴地組織を図２に示す。本発明の実施形態では、基本組織から１コースおきに左方向に変位して穴目を設けている。チェーン番号で表すと次のようになる。
柄構成糸２（筬Ｌ２−１）：２２／４４／
柄構成糸３（筬Ｌ２−２）：６６／４４／
【００１４】
次に、ジャカード筬の基本組織から変化した別の組織として、厚地組織を図３に示す。本発明の実施形態では、基本組織から１コースおきに左方向に変位して柄構成糸が２本重なる部分を設けている。チェーン番号で表すと次のようになる。
柄構成糸２（筬Ｌ２−１）：００／６６／
柄構成糸３（筬Ｌ２−２）：８８／２２／
【００１５】
ここで、従来のレース編地の基本組織を図５に、穴地組織を図６に、厚地組織を図７に示す。どの組織も本発明の実施形態とは異なるものである。
【００１６】
本発明は２枚の分割ジャカード筬を備えた経編機にて実施できる。使用糸としては、地編糸には任意の糸を用いることができるが、レース編地の需要としては、ナイロン糸またはポリエステル糸を用いることが望ましい。また、芯糸をポリウレタン糸、被覆糸をナイロン糸もしくはポリエステル糸とした複合糸を用いても良く、低融点で熱接着性の糸を用いてレース編地のほつれを防止しても良い。
【００１７】
ジャカード筬に導糸される柄構成糸にも任意の糸を用いることができるが、ナイロン糸、ポリエステル糸、レーヨン糸、綿糸等を用いることが望ましい。また、芯糸をポリウレタン糸、被覆糸をナイロン糸、ポリエステル糸、レーヨン糸または綿糸とした複合糸を用いても良く、低融点で熱接着性の糸を用いてレース編地のほつれを防止しても良い。
【００１８】
地編糸及びジャカード筬に導糸される柄構成糸以外にも、柄筬に導糸される柄糸を追加して、レース柄の表現を高めても良い。また、ポリウレタン糸等の伸縮性糸を別の地筬に導糸して、レース編地に伸縮性を持たせても良い。また、低融点で熱接着性のある糸を柄糸・伸縮性糸のいずれかに用いてレース編地のほつれを防止しても良い。
【００１９】
本発明のレース編地のネット部は、図４に示すとおりであり、従来のネット部である図８と比較して、くっきりとしており、今までにない新鮮な意匠となりえる。
【符号の説明】
【００２０】
１…地編糸、２，３…柄構成糸、４…ネット部
【要約】
【課題】ジャカード変化によるネット部を、実用性を維持しつつ、新規な意匠を有する形状としたレース編地及びその製造方法を提供する。
【解決手段】柄構成糸２，３を導糸するガイドが互いに１針ずれた１針おきの交互配列をなすように分割構成されて並設された２枚の分割ジャカード筬と、少なくとも１枚の地筬とにより編成されてなるレース編地であって、前記分割ジャカード筬の交互配列のガイドによりそれぞれ柄構成糸２，３が導糸され、それぞれ２ウエールに渡り互いに逆方向に移行される組織を基本として、ジャカード制御により該基本組織を変化せしめられたネット部４が設けられることを特徴とする。
【選択図】図１【図１】
0006978800.tif 000002
【図２】
0006978800.tif 000003
【図３】
0006978800.tif 000004
【図４】
0006978800.tif 000005
【図５】
0006978800.tif 000006
【図６】
0006978800.tif 000007
【図７】
0006978800.tif 000008
【図８】
0006978800.tif 000009